(57)【特許請求の範囲】
【請求項１】
高圧交流電力の交流周波数を決定する交流周波数決定信号と該高圧交流電力の振幅を決定する振幅決定信号から該高圧交流電力の元となる元交流電力を生成する元交流電力生成手段と、
所定周波数の三角波信号を生成する三角波信号生成手段と、
前記元交流電力と前記三角波信号をＰＷＭ変調してＰＷＭ変調交流電力を生成するＰＷＭ手段と、
前記ＰＷＭ変調交流電力から前記高圧交流電力を生成する高圧交流電力生成手段と、
前記交流周波数決定信号と前記三角波信号に基づいて、前記三角波信号生成手段の生成する該三角波信号の周波数を、該交流周波数決定信号の周波数に対して、ｎ１／ｎ２倍（ｎ１、ｎ２は、整数）を避けた周波数に調整する周波数調整手段と、
を備えていることを特徴とする高圧電源装置。
【請求項２】
前記周波数調整手段は、
前記交流周波数決定信号の周波数を周波数決定電圧に変換する周波数決定電圧変化手段と、
前記三角波信号の周波数を三角波電圧に変換する三角波電圧変換手段と、
前記周波数決定電圧と前記三角波電圧を比較して、前記ｎ１／ｎ２倍を避けた周波数に該三角波信号の周波数を調整する周波数調整信号を出力する比較手段と、
を備えていることを特徴とする請求項１記載の高圧電源装置。
【請求項３】
前記周波数調整手段は、
前記交流周波数決定信号と前記振幅決定信号の出力元に設けられていることを特徴とする請求項１または請求項２記載の高圧電源装置。
【請求項４】
高圧電源部の出力する高圧交流電力を利用して、電子写真方式で画像を被記録媒体に形成する画像形成装置であって、
前記高圧電源部として、請求項１から請求項３のいずれかに記載の高圧電源装置を備えていることを特徴とする画像形成装置。
【請求項５】
高圧交流電力の交流周波数を決定する交流周波数決定信号と該高圧交流電力の振幅を決定する振幅決定信号から該高圧交流電力の元となる元交流電力を生成する元交流電力生成処理ステップと、
所定周波数の三角波信号を生成する三角波信号生成処理ステップと、
前記元交流電力と前記三角波信号をＰＷＭ変調してＰＷＭ変調交流電力を生成するＰＷＭ処理ステップと、
前記ＰＷＭ変調交流電力から前記高圧交流電力を生成する高圧交流電力生成処理ステップと、
前記交流周波数決定信号と前記三角波信号に基づいて、前記三角波信号生成処理ステップで生成される該三角波信号の周波数を、該交流周波数決定信号の周波数に対して、ｎ１／ｎ２倍（ｎ１、ｎ２は、整数）を避けた周波数に調整する周波数調整処理ステップと、
を有することを特徴とする電源安定化方法。
【発明の詳細な説明】
【技術分野】
【０００１】
本発明は、高圧電源装置、画像形成装置及び電源安定化方法に関し、詳細には、帯電電力等の高圧電力を生成する高圧電源装置、画像形成装置及び電源安定化方法に関する。
【背景技術】
【０００２】
電子写真方式の画像形成装置は、高圧電力を帯電部に供給して、帯電部が高圧電力を利用して、感光体を一様に帯電し、一様に帯電された感光体に、画像データに基づいて変調されたレーザ光を照射して静電潜像を形成している。画像形成装置は、静電潜像の形成された感光体に、現像部でトナーを供給して現像し、該トナー画像を用紙に転写した後、定着させることで画像形成する。
【０００３】
画像形成装置は、帯電部へ供給する高圧電力を、一般的に、Ｄ級増幅器を利用した高圧電力部を利用している（特許文献１等参照）。
【０００４】
このＤ級増幅器を利用した高圧電力部１００は、例えば、図５に示すように、制御部１０１から、クロック信号とＰＷＭ（Pulse Wide mosulation：パルス幅変調）信号が入力される。高圧電力部１００は、正弦波フィルタ１１１、三角波生成部１１２、比較器１１３、ＳＷ増幅器１１４、ローパスフィルタ（ＬＰＦ）１１５及び高圧トランス１１６等を備えている。高圧電力部１００は、正弦波フィルタ１１１が、クロック信号とＰＷＭ信号のデューティ比に応じた振幅の正弦波信号を比較器１１３に出力し、比較器１１３が、三角波生成部１１２からの三角波信号と正弦波信号を比較してＰＷＭ変調したＰＷＭ信号をＳＷ増幅器１１４へ出力する。高圧電力部１００は、ＳＷ増幅器１１４がＰＷＭ信号を増幅してローパスフィルタ１１５で正弦波に復元し、高圧トランス１１６で増幅して、高圧交流電力を出力する。
【発明の概要】
【発明が解決しようとする課題】
【０００５】
しかしながら、上記従来技術にあっては、比較器１１３に入力される三角波信号と、正弦波信号生成の元となっているクロック信号とのＨ／Ｌの切替タイミングが、図６に示すように重なると、高圧交流電力の出力レベルが変動するという問題がある。高圧交流電力の出力レベル変動する状態が継続すると、画像形成装置の場合、出力画像に縞模様が現れる等の不具合が発生する場合がある。
【０００６】
なお、図６には、クロック信号と三角波信号の周波数が、６／３（図６（ａ））、４／３（図６（ｂ））、２／３（図６（ｃ））の関係にあって、Ｈ／Ｌの切替タイミングが重なっている場合が示されている。
【０００７】
そこで、本発明は、高圧交流電力の元の信号である三角波信号と正弦波信号の切替タイミングの重なりが継続することを防止することを目的としている。
【課題を解決するための手段】
【０００８】
上記目的を達成するために、請求項１記載の高圧電源装置は、高圧交流電力の交流周波数を決定する交流周波数決定信号と該高圧交流電力の振幅を決定する振幅決定信号から該高圧交流電力の元となる元交流電力を生成する元交流電力生成手段と、所定周波数の三角波信号を生成する三角波信号生成手段と、前記元交流電力と前記三角波信号をＰＷＭ変調してＰＷＭ変調交流電力を生成するＰＷＭ手段と、前記ＰＷＭ変調交流電力から前記高圧交流電力を生成する高圧交流電力生成手段と、前記交流周波数決定信号と前記三角波信号に基づいて、前記三角波信号生成手段の生成する該三角波信号の周波数を、該交流周波数決定信号の周波数に対して、ｎ１／ｎ２倍（ｎ１、ｎ２は、整数）を避けた周波数に調整する周波数調整手段と、を備えていることを特徴としている。
【発明の効果】
【０００９】
本発明によれば、高圧交流電力の元の信号である三角波信号と正弦波信号の切替タイミングの重なりが継続することを防止することができる。
【図面の簡単な説明】
【００１０】
【図１】本発明の一実施例を適用した画像形成装置の要部概略構成図。
【図２】制御部及び高圧電力部の要部構成図。
【図３】高圧電力部の機能ブロック図。
【図４】周波数調整部を制御部に設けた制御部及び高圧電力部の要部構成図。
【図５】従来の高圧電力部の一例を示す図。
【図６】クロック信号と三角波信号の切替タイミングの重なりの説明図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図４は、本発明の高圧電源装置、画像形成装置及び電源安定化方法の一実施例を示す図であり、図１は、本発明の高圧電源装置、画像形成装置及び電源安定化方法の一実施例を適用した画像形成装置１の要部概略構成図である。
【００１３】
図１において、画像形成装置１は、制御部２、高圧電力部３、画像形成部４、搬送ローラ５ａ、５ｂ及び図示しない給紙部、定着部、排紙部、操作表示部等を備えている。
【００１４】
画像形成部４は、感光体１１の周囲に、帯電部１２、露光部１３、現像部１４、転写部１５及びクリーニング部１６等が配設されており、感光体１１と転写部１５の間に、給紙部から送り出された用紙Ｐが搬送ローラ５ａにより搬送される。画像形成装置１は、転写部１５で、感光体１１上のトナー画像を用紙Ｐに転写させ、トナー画像の転写の完了した用紙Ｐを搬送ローラ５ｂにより図示しない定着部へ搬送する。画像形成装置１は、定着部で用紙Ｐ上のトナー画像を用紙Ｐに定着させ、トナー画像の定着の完了した用紙Ｐを排紙部へ排出する。
【００１５】
画像形成部４は、帯電部１２が、後述する高圧電力部３から供給される高圧交流電力を利用して、矢印方向に回転される感光体１１を一様に帯電させ、露光部１３が、画像データに基づいて変調したレーザ光を感光体１１に照射して、静電潜像を形成する。
【００１６】
画像形成部４は、静電潜像の形成された感光体１１に現像部１４でトナーを付与させて静電潜像を現像してトナー画像を感光体１１上に形成し、転写部１５に、感光体１１上のトナー画像を、搬送ローラ５ａによって搬送されてきた用紙Ｐに転写させる。
【００１７】
画像形成部４は、トナー画像の転写の完了した感光体１１を、クリーニング部１６でクリーニングと除電を行って、再度画像形成に供する。
【００１８】
画像形成装置１は、トナー画像の転写された用紙Ｐを、搬送ローラ５ｂによって図示しない定着部へ搬送して、定着部でトナー画像を用紙Ｐに定着させ、トナー画像の定着の完了した用紙Ｐを図示しない排紙部へ排出する。
【００１９】
画像形成装置１は、制御部２に、図示しないが、ＣＰＵ（Central Processing Unit）、ＲＯＭ（Read Only Memory）、ＲＡＭ（Random Access Memory）等を備えている。また、制御部２は、クロック発生器２１、ＰＷＭ信号発生器２２及び図示しない電源部等を備えている。
【００２０】
高圧電力部３は、正弦波フィルタ３１、三角波生成部３２、比較器３３、ＳＷ増幅器３４、ローパスフィルタ（ＬＰＦ）３５、高圧トランス３６及び周波数調整部４０等を備えている。周波数調整部４０は、基準電圧生成部４１、ＦＶ変換回路４２及び比較器４３を備えている。
【００２１】
制御部２は、ＣＰＵが、ＲＯＭ内のプログラムに基づいて、ＲＡＭをワークメモリとして利用しつつ画像形成装置１の各部を制御して、画像形成装置１としての基本処理を実行するとともに、本発明の電源安定化方法を実行する。
【００２２】
クロック発生器２１は、所定周波数のクロック信号を発生し、基準電圧生成部４１及び高圧電力部３の正弦波フィルタ３１へ出力する。クロック発生器２１の出力するクロック信号は、高圧電力部３の出力する高圧交流電力の周波数を決定する信号である。
【００２３】
ＰＷＭ信号発生器２２は、所定デューティ値のＰＷＭ信号を発生し、高圧電力部３の正弦波フィルタ３１へ出力する。ＰＷＭ信号発生器２２の出力するＰＷＭ信号は、高圧電力部３の出力する高圧交流電力の出力電圧である振幅を決定する信号である。
【００２４】
高圧電力部３は、制御部２からのクロック信号とＰＷＭ信号が正弦波フィルタ３１に入力される。正弦波フィルタ３１は、クロック信号とＰＷＭ信号のデューティ比に応じた振幅の正弦波信号を生成して、比較器３３に出力する。この正弦波信号は、高圧電力部３が最終的に出力する高圧交流電力の元となる元交流電力である。
【００２５】
三角波生成部３２は、所定周波数の三角波信号を生成して、比較器３３及びＦＶ変換回路４２へ出力する。また、三角波生成部３２は、後述するように、生成する三角波信号の周波数を比較器４３からの制御信号Ｓｓに基づいて変更する。
【００２６】
比較器３３は、三角波生成部３２からの三角波信号と正弦波フィルタ３１から正弦波信号を比較してＰＷＭ変調したＰＷＭ変調信号（ＰＷＭ変調交流電力）をＳＷ増幅器３４へ出力する。
【００２７】
ＳＷ増幅器３４は、比較器３３からのＰＷＭ変調信号を増幅してローパスフィルタ３５へ出力する。
【００２８】
ローパスフィルタ３５は、ＳＷ増幅器３４からのＰＷＭ変調信号を正弦波に復元し、高圧トランス３６へ出力する。
【００２９】
高圧トランス３６は、正弦波の交流電力を増幅して、高圧交流電力を帯電部１２へ出力する。
【００３０】
上記ＳＷ増幅器３４、ローパスフィルタ３５及び高圧トランス３６は、全体として、ＰＷＭ変調交流電力であるＰＷＭ変調信号から高圧交流電力を生成する高圧交流電力生成部３７として動作する。
【００３１】
周波数調整部４０は、三角波信号の周波数がクロック信号の周波数の変化に追従するように三角波生成部３２の生成する三角波信号の周波数を制御して、正弦波フィルタ３１の出力する正弦波信号の周波数に対して、特定の周波数とならないようにさせる。具体的には、周波数調整部４０は、三角波信号の周波数をクロック信号の周波数の変化に追従させる。
【００３２】
基準電圧生成部４１は、クロック信号が入力され、クロック信号の周波数を電圧変換して、基準電圧Ｖｋを比較器４３へ出力する。
【００３３】
ＦＶ変換回路４２は、三角波生成部３２が出力する三角波信号が入力され、三角波信号の周波数を電圧変換して、三角波電圧Ｖｓを比較器４３へ出力する。
【００３４】
比較器４３は、基準電圧Ｖｋと三角波電圧Ｖｓを比較して、制御信号Ｓｓを生成し、制御信号Ｓｓを三角波生成部３２へ出力して、三角波生成部３２の生成する三角波の周波数を制御する。すなわち、比較器４３は、基準電圧Ｖｋと三角波電圧Ｖｓを比較することで、クロック信号の周波数と三角波信号の周波数の関係が、ｎ１／ｎ２倍の関係とならないようにクロック周波数に追従させて三角波信号の周波数を変更させる制御信号Ｓｓを生成する。比較器４３は、生成した制御信号Ｓｓを三角波生成部３２へ出力する。なお、ｎ１、ｎ２は、整数である。
【００３５】
すなわち、三角波生成部３２の生成する三角波信号は、周波数が低すぎると、復元率が低下し、高過ぎると、ノイズが発生する等の懸念があるため、後述する比較器３３でのＰＷＭ変調に必要十分な周波数である必要がある。
【００３６】
一方、三角波信号は、要求を満たす範囲内であれば精度は厳しく要求されないため、三角波生成部３２の部品の個体差や温度変化等による周波数変動についての許容範囲は広い。
【００３７】
そこで、比較器４３は、クロック信号の周波数と三角波の周波数の関係が、Ｈ／Ｌのエッジが重なり合うｎ１／ｎ２倍の関係とならないようにクロック周波数に追従させて三角波信号の周波数を変更させる制御信号Ｓｓを生成して、三角波生成部３２へ出力する。そして、三角波生成部３２は、制御信号Ｓｓに基づいて、クロック周波数に追従する周波数の三角波信号を生成する。
【００３８】
具体的には、三角波信号と正弦波フィルタ３１の出力する正弦波信号の立ち下がりのタイミングが重なった状態が継続しない条件を満足させるために、三角波生成部３２毎に、三角波信号の周波数を測定する。そして、三角波信号の周波数は、三角波生成部３２の温度特性等による周波数の変動幅を考慮した上で、許容範囲の三角波信号の周波数の変動範囲が、クロック信号の周波数と三角波信号の周波数の関係が高圧交流電力の周波数のｎ１／ｎ２倍の周波数のいずれにも該当しないように制御される。このようにすると、三角波信号の周波数の制御周期を長くすることができる。
【００３９】
そして、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の電力安定化方法を実行するプログラムを読み込んで制御部２のＲＯＭ等に導入することで、後述する高圧交流電力の元の信号である三角波信号と正弦波信号の切替タイミングの重なりが継続することを防止する電源安定化方法を実行する高圧電力部３を備えた画像形成装置として構築されている。このプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００４０】
そして、画像形成装置１は、上記プログラムが制御部２のＲＯＭに導入されることで、その高圧電力部３が、図３に示すような機能ブロックが構築される。すなわち、高圧電力部３は、図３に示すように、元交流電力生成部５１、三角波信号生成部５２、ＰＷＭ部５３、高圧交流電力生成部５４及び周波数調整部５５が構築される。
【００４１】
元交流電力生成部５１は、正弦波フィルタ３１により構築される。元交流電力生成部５１は、高圧交流電力の交流周波数を決定する交流周波数決定信号であるクロック信号と該高圧交流電力の振幅を決定する振幅決定信号であるＰＷＭ信号から該高圧交流電力の元となる正弦波信号（元交流電力）を生成する。したがって、元交流電力生成部５１は、元交流電力生成手段として機能している。
【００４２】
三角波信号生成部５２は、三角波生成部３２により構築されており、所定周波数の三角波信号を生成する。したがって、三角波信号生成部５２は、三角波信号生成手段として機能している。
【００４３】
ＰＷＭ部５３は、比較器３３で構築されており、元交流電力である正弦波信号と三角波信号をＰＷＭ変調してＰＷＭ変調交流電力を生成する。したがって、ＰＷＭ部５３は、ＰＷＭ手段として機能している。
【００４４】
高圧交流電力生成部５４は、ＳＷ増幅器３４、ローパスフィルタ３５及び高圧トランスで構築されており、ＰＷＭ変調交流電力から高圧交流電力を生成する。したがって、高圧交流電力生成部５４は、高圧交流電力生成手段として機能している。
【００４５】
周波数調整部５５は、基準電圧生成部４１、ＦＶ変換回路４２及び比較器４３で構築されている。周波数調整部５５は、交流周波数決定信号であるクロック信号と三角波信号に基づいて、三角波信号生成部５２の生成する三角波信号の周波数をｎ１（整数）、該クロック信号の周波数をｎ２（整数）としたとき、該三角波信号の周波数ｎ１を、該クロック信号の周波数ｎ２に対して、ｎ１／ｎ２倍を避けた周波数に調整する。したがって、周波数調整部５５は、周波数調整手段として機能している。
【００４６】
次に、本実施例の作用を説明する。本実施例の画像形成装置１は、その高圧電力部３が、三角波信号と正弦波信号の切替タイミングの重なりが継続することを防止する。
【００４７】
すなわち、画像形成装置１は、電子写真方式の画像形成部４を備えており、高圧電力部３から高圧交流電力を画像形成部４の帯電部１２に供給して、帯電部１２が高圧交流電力を使用して感光体１１を一様に帯電させる。
【００４８】
そして、高圧電力部３は、制御部２のクロック発生器２１からのクロック信号とＰＷＭ信号発生器２２からのＰＷＭ信号に基づいて、Ｄ級増幅機能によって、高圧交流電力を生成して、帯電部１２に供給する。
【００４９】
そして、クロック信号は、高圧交流電力の周波数を決定する信号であり、ＰＷＭ信号は、高圧交流電力の振幅（出力電圧）を決定する信号である。
【００５０】
高圧電力部３は、正弦波フィルタ３１が、クロック信号とＰＷＭ信号のデューティ比に応じた振幅の正弦波信号を、高圧交流電力の元となる元交流電力として生成して、比較器３３へ出力し、三角波生成部３２が所定周波数の三角波を比較器３３へ出力する。
【００５１】
比較器３３は、正弦波信号と三角波信号を比較して、ＰＷＭ変調して、ＰＷＭ変調信号（ＰＷＭ変調交流電力）を生成して、ＳＷ増幅器３４へ出力する。
【００５２】
ＳＷ増幅器３４は、比較器３３からのＰＷＭ変調信号を増幅してローパスフィルタ３５へ出力し、ローパスフィルタ３５は、ＳＷ増幅器３４からのＰＷＭ変調信号を正弦波に復元して、高圧トランス３６へ出力する。高圧トランス３６は、正弦波の交流電力を増幅して、高圧交流電力を帯電部１２へ出力する。すなわち、ＳＷ増幅器３４、ローパスフィルタ３５及び高圧トランス３６は、比較器３３の出力するＰＷＭ変調信号（ＰＷＭ変調交流電力）から高圧交流電力を生成する。
【００５３】
ところが、比較器３３の生成するＰＷＭ変調信号は、正弦波信号と三角波信号のＨ／Ｌの切替タイミングが、図６に示したように、重なると、出力電圧レベルが変動し、この出力電圧レベルの変動が継続すると、画像形成部４での形成画像が劣化する。
【００５４】
そこで、本実施例の高圧電力部３は、三角波生成部３２の生成する三角波の周波数を調整する周波数調整部４０を備えている。周波数調整部４０は、三角波生成部３２の生成する三角波信号の周波数を、クロック信号の周波数の変化に追従させ、正弦波フィルタ３１の出力する正弦波信号の周波数に対して、特定の周波数とならないようにさせる。
【００５５】
すなわち、周波数調整部４０は、三角波信号の周波数がクロック信号の周波数の変化に追従するように三角波生成部３２の出力する三角波信号の周波数を制御して、正弦波フィルタ３１の出力する正弦波信号の周波数に対して、特定の周波数とならないようにさせる。具体的には、基準電圧生成部４１が、クロック信号の周波数を電圧変換して、基準電圧Ｖｋを比較器４３へ出力し、ＦＶ変換回路４２が、三角波信号の周波数を電圧変換して、三角波電圧Ｖｓを比較器４３へ出力する。比較器４３は、基準電圧Ｖｋと三角波電圧Ｖｓを比較して、制御信号Ｓｓを生成し、制御信号Ｓｓを三角波生成部３２へ出力して、三角波生成部３２の生成する三角波信号の周波数を制御する。すなわち、比較器４３は、基準電圧Ｖｋと三角波電圧Ｖｓを比較することで、クロック信号の周波数と三角波信号の周波数の関係が、ｎ１／ｎ２倍の関係とならないようにクロック周波数に追従させて三角波信号の周波数を変更させる制御信号Ｓｓを生成して、三角波生成部３２へ出力する。
【００５６】
すなわち、上述のように、三角波生成部３２の生成する三角波信号は、周波数が低すぎると、復元率が低下し、高過ぎると、ノイズが発生する等の懸念があるため、後述する比較器３３でのＰＷＭ変調に必要十分な周波数である必要がある。一方、三角波信号は、要求を満たす範囲内であれば精度は厳しく要求されないため、三角波生成部３２の部品の個体差や温度変化等による周波数変動についての許容範囲は広い。
【００５７】
そこで、比較器４３は、クロック信号の周波数と三角波の周波数の関係が、ｎ１／ｎ２倍の関係とならないようにクロック信号の周波数に追従させて三角波信号の周波数を変更させる制御信号Ｓｓを生成して、三角波生成部３２へ出力する。そして、三角波生成部３２は、制御信号Ｓｓに基づいて、クロック信号の周波数に追従する周波数の三角波信号を生成する。
【００５８】
したがって、三角波信号と正弦波信号の切替タイミングの重なりが継続することを防止することができ、出力する高圧交流電力を安定させることができる。その結果、画像形成部４で、安定した交流電力を利用して形成する画像の品質を向上させることができる。
【００５９】
なお、上記説明においては、周波数調整部４０は、高圧電力部３に設けられているが、高圧電力部３内に設ける場合に限るものではなく、例えば、図４に示すように、高圧電力部３の外部として、制御部２に設けてもよい。
【００６０】
この場合、図４に示すように、クロック発生器２１の近くに、基準電圧生成部４１、ＦＶ変換回路４２及び比較器４３を配設し、高圧電力部３の三角波生成部３２からＦＶ変換回路４２へ三角波信号を戻し、制御信号Ｓｓを比較器４３から三角波生成部３２へ出力する。
【００６１】
このようにすると、高圧電力部３の構成を大きく変更することなく、安定した高圧交流電力を生成することができる。
【００６２】
このように、本実施例の画像形成装置１は、その高圧電力部３が、高圧交流電力の交流周波数を決定するクロック信号（交流周波数決定信号）と該高圧交流電力の振幅を決定するＰＷＭ信号（振幅決定信号）から該高圧交流電力の元となる正弦波信号（元交流電力）を生成する正弦波フィルタ（元交流電力生成手段）３１と、所定周波数の三角波信号を生成する三角波生成部（三角波信号生成手段）３２と、前記正弦波信号と前記三角波信号をＰＷＭ変調してＰＷＭ変調信号（ＰＷＭ変調交流電力）を生成する比較器（ＰＷＭ手段）３３と、前記ＰＷＭ変調信号から前記高圧交流電力を生成する高圧交流電力部（高圧交流電力生成手段）３７と、前記クロック信号と前記三角波信号に基づいて、前記三角波生成部３２の生成する該三角波信号の周波数をｎ１（整数）、該クロック信号の周波数をｎ２（整数）としたとき、該三角波信号の周波数ｎ１を、該クロック信号の周波数ｎ２に対して、ｎ１／ｎ２倍を避けた周波数に調整する周波数調整部（周波数調整手段）４０と、を備えている。
【００６３】
したがって、三角波信号と正弦波信号の切替タイミングの重なりが継続することを防止することができ、出力する高圧交流電力を安定させることができる。その結果、画像形成部４で、安定した交流電力を利用して形成する画像の品質を向上させることができる。
【００６４】
また、本実施例の画像形成装置１は、その高圧電力部３が、高圧交流電力の交流周波数を決定するクロック信号（交流周波数決定信号）と該高圧交流電力の振幅を決定するＰＷＭ信号（振幅決定信号）から該高圧交流電力の元となる正弦波信号（元交流電力）を生成する元交流電力生成処理ステップと、所定周波数の三角波信号を生成する三角波信号生成処理ステップと、前記正弦波信号と前記三角波信号をＰＷＭ変調してＰＷＭ変調信号（ＰＷＭ変調交流電力）を生成するＰＷＭ処理ステップと、前記ＰＷＭ変調信号から前記高圧交流電力を生成する高圧交流電力生成処理ステップと、前記クロック信号と前記三角波信号に基づいて、前記三角波信号生成処理ステップで生成された前記三角波信号の周波数をｎ１（整数）、前記クロック信号の周波数をｎ２（整数）としたとき、該三角波信号生成処理ステップで生成される該三角波信号の周波数ｎ１を、該クロック信号の周波数ｎ２に対して、ｎ１／ｎ２倍を避けた周波数に調整する周波数調整処理ステップと、を有する電源安定化方法を実行する。
【００６５】
したがって、三角波信号と正弦波信号の切替タイミングの重なりが継続することを防止することができ、出力する高圧交流電力を安定させることができる。その結果、画像形成部４で、安定した交流電力を利用して形成する画像の品質を向上させることができる。
【００６６】
さらに、本実施例の高圧電力部３は、前記周波数調整部４０が、前記クロック信号の周波数ｎ１を基準電圧（周波数決定電圧）Ｖｋに変換する基準電圧生成部（周波数決定電圧変化手段）４１と、前記三角波信号の周波数ｎ２を三角波電圧Ｖｓに変換するＦＶ変換回路（三角波電圧変換手段）４２と、前記基準電圧Ｖｋと前記三角波電圧Ｖｓを比較して、前記ｎ１／ｎ２倍を避けた周波数に該三角波信号の周波数ｎ１を調整する制御信号（周波数調整信号）Ｓｓを出力する比較器（比較手段）４３と、を備えている。
【００６７】
したがって、三角波生成部３２の出力する三角波信号の周波数を、簡単な回路構成で、ｎ１／ｎ２倍を避けた周波数に調整することができ、出力する高圧交流電力を安価かつ容易に安定させることができる。その結果、画像形成部４で、安定した交流電力を利用して形成する画像の品質を安価に向上させることができる。
【００６８】
また、本実施例の高圧電力部３は、前記周波数調整部４０が、前記クロック信号と前記ＰＷＭ信号の出力元に設けられている。
【００６９】
したがって、簡単な回路構成の変更で、高圧交流電力を安定化させることができ、出力する高圧交流電力を安価かつ容易に安定させることができる。その結果、画像形成部４で、安定した交流電力を利用して形成する画像の品質を安価に向上させることができる。
【００７０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００７１】
１  画像形成装置
２  制御部
３  高圧電力部
４  画像形成部
５ａ、５ｂ  搬送ローラ
１１  感光体
１２  帯電部
１３  露光部
１４  現像部
１５  転写部
１６  クリーニング部
Ｐ  用紙
２１  クロック発生器
２２  ＰＷＭ信号発生器
３１  正弦波フィルタ
３２  三角波生成部
３３  比較器
３４  ＳＷ増幅器
３５  ローパスフィルタ
３６  高圧トランス
４０  周波数調整部
４１  基準電圧生成部
４２  ＦＶ変換回路
４３  比較器
Ｖｋ  基準電圧
Ｖｓ  三角波電圧
Ｓｓ  制御信号
５１  元交流電力生成部
５２  三角波信号生成部
５３  ＰＷＭ部
５４  高圧交流電力生成部
５５  周波数調整部
【先行技術文献】
【特許文献】
【００７２】
【特許文献１】特開２０１３−２２８５３４号公報
【図１】
0006544065.tif 000002
【図２】
0006544065.tif 000003
【図３】
0006544065.tif 000004
【図４】
0006544065.tif 000005
【図５】
0006544065.tif 000006
【図６】
0006544065.tif 000007